(57)【要約】      （修正有）【課題】電源部の出力状況に合わせて応答性良く適切な回転数でモータを駆動させることができるモータの制御装置及び制御方法を提供する。【解決手段】電源部１０から電力が供給され、モータ２１の駆動を制御する制御装置３０は、モータ２１に対して通電を行う駆動回路部３１と、駆動回路部３１を制御する制御部３２と、モータ２１に対して通電される電流の電流値を検出する電流検出部３３と、を有する。制御部３２は、電流検出部３３で検出される電流値に基づいて電源部３２の電圧値を算出する電源電圧算出部と、電源電圧算出部で算出される電圧値に基づいてモータ２１の回転数を調整する調整部と、を有する。【選択図】図１
2019134498.tif 000002
【特許請求の範囲】
【請求項１】
電源部から電力が供給され、モータの駆動を制御する制御装置であって、
前記モータに対して通電を行う駆動回路部と、
前記駆動回路部を制御する制御部と、
前記モータに対して通電される電流の電流値を検出する電流検出部と、
を有し、
前記制御部は、
前記電流検出部で検出される電流値に基づいて前記電源部の電圧値を算出する電源電圧算出部と、
前記電源電圧算出部で算出される電圧値に基づいて前記モータの回転数を調整する調整部と、
を有する、制御装置。
【請求項２】
前記制御部は、前記電流検出部で検出される電流値に基づいてモータの回転数を算出する回転数算出部を有する、請求項１に記載の制御装置。
【請求項３】
前記電源電圧算出部は、前記回転数算出部で算出される回転数に基づいて前記電源部の電圧値を算出する、請求項２に記載の制御装置。
【請求項４】
前記制御部は、前記駆動回路部をＰＷＭ信号によって制御し、
前記調整部は、前記ＰＷＭ信号のデューティ比を調整する、請求項２又は３に記載の制御装置。        
【請求項５】
前記制御部は、前記回転数算出部で算出される回転数に基づいて前記ＰＷＭ信号のデューティ比を生成するデューティ比生成部を有する、請求項４に記載の制御装置。
【請求項６】
前記制御部は、前記ＰＷＭ信号のデューティ比の初期値を出力する初期値出力部を有し、
前記デューティ比生成部は、デューティ比を前記初期値とした場合に想定される前記モータの回転数と、前記回転数算出部で算出される回転数とを比較してデューティ比を生成する、請求項５に記載の制御装置。
【請求項７】
前記制御部は、外部から前記ＰＷＭ信号のデューティ比の初期値を設定可能に設けられ、
前記デューティ比生成部は、デューティ比を前記初期値とした場合に想定される前記モータの回転数と、前記回転数算出部で算出される回転数とを比較してデューティ比を生成する、請求項５に記載の制御装置。
【請求項８】
前記制御部は、前記デューティ比生成部で生成されるデューティ比の変動を検出するデューティ比計測部を有し、
前記デューティ比計測部によって所定のデューティ比変動が検出された場合に、前記電源電圧算出部によって算出される電圧値に基づいてデューティ比が調整される、請求項５から７のいずれか１項に記載の制御装置。
【請求項９】
前記電源電圧算出部で算出される電圧値が所定の値より小さい場合に、前記モータの駆動を停止する、請求項１から８のいずれか１項に記載の制御装置。
【請求項１０】
前記電源部と、
前記モータを有するポンプ部と、
請求項１から９のいずれか１項に記載の制御装置と、
を有する、ポンプシステム。
【請求項１１】
前記電源部は、自然エネルギーを利用して発電する発電部を有する、請求項１０に記載のポンプシステム。
【請求項１２】
電源部から供給される電力によって駆動するモータの制御方法であって、
前記モータに対して通電される電流の電流値を検出する第１ステップと、
検出された電流値に基づいて前記電源部の電圧値を算出する第２ステップと、
算出された電圧値に基づいて前記モータの回転数を調整する第３ステップと、
を有する、制御方法。
【発明の詳細な説明】
【技術分野】
【０００１】
本発明は、モータの制御装置及び制御方法、並びにポンプシステムに関する。
【背景技術】
【０００２】
国際公開第２００３／０６５５６４号には、太陽電池を電源として電動機を可変速駆動する太陽光インバータの制御装置が開示される。当該制御装置は、いわゆる最大電力点追尾（Maximum Power Point Tracking：MPPT）制御法を用いて太陽光インバータを制御する。ＭＰＰＴ制御法では、日射量が変動しても、太陽電池の動作点がその都度の最大電力点に追従する。
【先行技術文献】
【特許文献】
【０００３】
【特許文献１】国際公開第２００３／０６５５６４号
【発明の概要】
【発明が解決しようとする課題】
【０００４】
特許文献１の方法では、太陽光インバータに電圧を検出する装置等が設けられ、太陽電池の電力が監視される。この監視装置からモータの駆動を制御する制御部に情報を出力する際に、タイムラグが生じる可能性がある。タイムラグが生じると、常に適切な回転数でモータの駆動を制御できなくなってしまう。
【０００５】
以上の点に鑑みて、本発明は、電源部の出力状況に合わせて応答性良く適切な回転数でモータを駆動させることができるモータの制御装置及び制御方法を提供する。また、本発明をポンプシステムで用いることで、電力インフラが整っていない環境でも効率良く水を汲み上げることを可能にする。
【課題を解決するための手段】
【０００６】
本発明の例示的なモータの制御装置は、電源部から電力が供給され、モータの駆動を制御する制御装置であって、前記モータに対して通電を行う駆動回路部と、前記駆動回路部を制御する制御部と、前記モータに対して通電される電流の電流値を検出する電流検出部と、を有する。前記制御部は、前記電流検出部で検出される電流値に基づいて前記電源部の電圧値を算出する電源電圧算出部と、前記電源電圧算出部で算出される電圧値に基づいて前記モータの回転数を調整する調整部と、を有する
【０００７】
本発明の例示的なポンプシステムは、前記電源部と、前記モータを有するポンプ部と、上述した本発明の例示的な制御装置と、を有する。
【０００８】
本発明の例示的なモータの制御方法は、電源部から供給される電力によって駆動するモータの制御方法であって、前記モータに対して通電される電流の電流値を検出する第１ステップと、検出された電流値に基づいて前記電源部の電圧値を算出する第２ステップと、算出された電圧値に基づいて前記モータの回転数を調整する第３ステップと、を有する。
【発明の効果】
【０００９】
例示的な本発明によれば、電源部の出力状況に合わせて応答性良く適切な回転数でモータを駆動させることができるモータの制御装置及び制御方法を提供するができる。また、例示的な本発明によれば、電力インフラが整っていない環境でも効率良く水を汲み上げることができるポンプシステムを提供することができる。
【図面の簡単な説明】
【００１０】
【図１】図１は、本発明の実施形態に係るポンプシステムの構成を示すブロック図である。
【図２】図２は、本発明の実施形態に係るポンプシステムが有するポンプ部及びその周辺の構成を示す模式図である。
【図３】図３は、本発明の実施形態に係る制御装置が有する制御部のブロック図である。
【図４】図４は、本発明の実施形態に係る制御装置の動作の一例を示すフローチャートである。
【図５】図５は、本発明の実施形態に係る制御装置の変形例を説明するためのブロック図である。
【発明を実施するための形態】
【００１１】
以下、本発明の例示的な実施形態について、図面を参照しながら詳細に説明する。
＜１．ポンプシステムの概略＞
【００１２】
まず、本発明の例示的な実施形態に係るポンプシステムの概略構成について説明する。図１は、本発明の実施形態に係るポンプシステム１の構成を示すブロック図である。図１に示すように、ポンプシステム１は、電源部１０と、ポンプ部２０と、制御装置３０とを有する。
【００１３】
電源部１０は、発電部１１とパワーコンディショナー（Power Conditioning System :PCS）１２とを有する。本実施形態では、発電部１１は、自然エネルギーを利用して発電する。このために、本実施形態のポンプシステム１は、電力インフラが整っていない地域でも利用することができる。
【００１４】
発電部１１は、例えば、太陽光発電装置、風力発電装置、波力発電装置、及び、地熱発電装置のうちのいずれかであってよい。なお、波力発電装置は、海水等の波のエネルギーを利用して発電する装置である。また、発電部１１は、これらの自然エネルギーを利用する発電装置を複数種類含んでもよい。本実施形態では、発電部１１は太陽光発電装置である。ＰＣＳ１２は、発電部１１で発電される電力の電力変換を適宜行う。発電部１１が太陽光発電装置である場合、ＰＣＳ１２は直流電力を交流電力に変換する。
【００１５】
ポンプ部２０はモータ２１を有する。本実施形態では、モータ２１はブラシレスモータである。図２は、本発明の実施形態に係るポンプシステム１が有するポンプ部２０及びその周辺の構成を示す模式図である。図２に示すように、ポンプ部２０は、モータ２１に接続されるインペラ部２２を有する。インペラ部２２は、モータ２１の駆動によって回転する羽根（不図示）を有する。
【００１６】
ポンプシステム１は、インペラ部２２に接続される流水ケーブル４０と、貯水槽４１とを有する。ポンプ部２０は、例えば地中の水源に浸される。モータ２１の駆動によってインペラ部２２の羽根が回転して水を吸い上げる。インペラ部２２によって吸い上げられた水は、流水ケーブル４０を通って地上に汲み上げられる。汲み上げられた水は貯水槽４１に貯められる。
【００１７】
制御装置３０は、電源部１０から電力を供給され、モータ２１の駆動を制御する。制御装置３０は、モータ２１とケーブルで接続され、地上に配置される。本実施形態では、制御装置３０は、ＰＣＳ１２と共に１つの制御ボックスの中に収容される。制御装置３０は、不図示の入力装置からの指令によって駆動する。入力装置は、例えば、制御装置３０を収容する筐体に設けられてもよいし、リモートコントローラであってもよい。入力装置は、例えば、制御装置３０をオンオフする電源スイッチを有してよい。また、入力装置は、制御装置３０を操作する複数の入力キーを有してよい。入力キーは、例えばボタン或いはタッチパネル等であってよい。
＜２．制御装置の詳細＞
【００１８】
制御装置３０は、駆動回路部３１と、制御部３２と、電流検出部３３とを有する。駆動回路部３１は、モータ２１に対して通電を行う。駆動回路部３１は、詳細にはインバータである。本実施形態では、駆動回路部３１は、ＰＷＭ（Pulse Width Modulation）制御方式のインバータである。
【００１９】
制御部３２は駆動回路部３１を制御する。本実施形態では、制御部３２は、駆動回路部３１をＰＷＭ信号によって制御する。制御部３２は、ＣＰＵ（Central Processing Unit）３２ａ及びメモリ３２ｂを有するマイコンである。メモリ３２ｂは、ＲＯＭ（Read Only Memory）及びＲＡＭ（Random Access Memory）を有する。ＲＯＭには、モータ２１の駆動を制御するために必要なプログラム及びデータが記憶されている。
【００２０】
電流検出部３３は、モータ２１に対して通電される電流の電流値を検出する。具体的には、電流検出部３３は、駆動回路部３１がモータ２１に対して通電する際、駆動回路部３１を流れる電流の電流値を検出する。電流検出部３３は、検出した電流値を制御部３２に出力する。本実施形態では、電流検出部３３は、シャント抵抗を用いて構成された電流測定回路である。電流検出部３３は、ホール素子等を用いて構成された電流測定回路であってもよい。
【００２１】
図３は、本発明の実施形態に係る制御装置３０が有する制御部３２のブロック図である。図３には、理解を容易とするために、駆動回路部３１及び電流検出部３３も示されている。制御部３２は、初期値出力部３２１と、デューティ比生成部３２２と、回転数算出部３２３と、デューティ比計測部３２４と、電源電圧算出部３２５と、調整部３２６と、判断部３２７とを有する。これらの機能部のうち一部或いは全部は、例えば、ＣＰＵ３２ａがメモリ３２ｂに記憶された各種プログラムを実行することで実現される。また、これらの機能部のうち一部或いは全部は、ＬＳＩ（Large Scale Integration）やＡＳＩＣ（Application Specific Integrated Circuit）等のハードウェア機能部であってもよい。
【００２２】
初期値出力部３２１は、ＰＷＭ信号のデューティ比の初期値を出力する。本実施形態では、初期値はメモリ３２ｂに記憶される。初期値をいかなる値とするかは、特に限定されない。本実施形態では、初期値は、モータ２１の回転数を最適な回転数（定格値）とするデューティ比である。このデューティ比のことを、以下、定格ＰＷＭデューティ比と記載する。例えば、メモリ３２ｂには、デューティ比８０％等が初期値として記憶される。また、最適な回転数とは、例えば、上記のポンプシステムで用いた場合、予め定めた流量で水を流すための回転数である。ＰＷＭ信号のデューティ比の初期値が予め準備されているために、モータ２１の制御を素早く適切に開始することができる。
【００２３】
デューティ比生成部３２２は、回転数算出部３２３で算出される回転数に基づいてＰＷＭ信号のデューティ比を生成する。本実施形態では、デューティ比生成部３２２は、デューティ比を初期値とした場合に想定されるモータ２１の回転数と、回転数算出部３２３で算出される回転数とを比較してデューティ比を生成する。
【００２４】
メモリ３２ｂには、デューティ比を初期値とした場合に想定されるモータ２１の回転数が記憶されている。この予め記憶されている回転数のことを、以下、目標回転数と記載する。本実施形態では、デューティ比が定格ＰＷＭデューティ比とされた場合のモータ２１の回転数（例えば５０００ｒｐｍ）が目標回転数として予め記憶されている。デューティ比生成部３２２は、回転数算出部３２３から取得される現在のモータ２１の回転数と目標回転数とを比較してデューティ比を生成する。
【００２５】
回転数算出部３２３は、電流検出部３３で検出される電流値に基づいてモータ２１の回転数を算出する。モータ２１の回転数と、モータ２１の使用電流とは比例関係にある。このために、使用するモータ２１の回転数と電流値の関係を予め計測しておけば、モータ２１の電流値の検出によって、モータ２１の回転数を算出できる。
【００２６】
デューティ比計測部３２４は、デューティ比生成部３２２で生成されるデューティ比の変動を検出する。本実施形態では、デューティ比計測部３２４は、予め設定した時間におけるデューティ比の変化量を計測する。デューティ比計測部３２４は、計測される変化量が所定の閾値を超えた場合に、所定のデューティ比の変動があったことを検出する。
【００２７】
電源電圧算出部３２５は、電流検出部３３で検出される電流値に基づいて電源部１０の電圧値を算出する。本実施形態では、電源電圧算出部３２５は、回転数算出部３２３で算出される回転数に基づいて電源部１０の電圧値を算出する。本願の発明者は、電源部１０の電圧値は、経験的に以下に示す式（１）で算出されることを見出している。
Ｓｖ＝ａ×Ｍｒ÷（Ｄ÷１００）＋ｂ    （１）
Ｓｖ：電源部の電圧値［Ｖ］
Ｍｒ：モータの回転数［ｒｐｍ］
Ｄ  ：デューティ比［％］
ａ,ｂ：定数
定数ａ及びｂは、モータ２１の特性によって決まる。
【００２８】
調整部３２６は、電源電圧算出部３２５で算出される電圧値に基づいてモータ２１の回転数を調整する。本実施形態では、調整部３２６は、ＰＷＭ信号のデューティ比を調整する。デューティ比の調整により、モータ２１の回転数が変動する。調整部３２６は、デューティ比計測部３２４によって所定のデューティ比変動が検出された場合に、電源電圧算出部３２５によって算出される電圧値に基づいてデューティ比を調整する。
【００２９】
詳細には、調整部３２６は、電源部１０の電圧値を目標電圧値に近づけるように、デューティ比の調整を行う。本実施形態では、目標電圧値は、電源部１０の出力が１００％（定格値）となる場合の電源部１０の電圧値である。目標電圧値は、予め実験等によって取得され、メモリ３２ｂに記憶されている。
【００３０】
本実施形態では、発電部１１は、日射量によって、その時点で出力することができる最大電力が変動する。また、日射量の変動によって、発電部１１の電力を最大とする電圧値と電流値の関係は変動する。ただし、本願の発明者は、最大電力を得るための電圧値が日射量の変動に応じて変動する割合は経験的に小さいことを見出している。このために、調整部３２６は、電源部１０の電圧値が目標電圧値に近づくように、デューティ比の調整を行う。これにより、日射量変動にかかわらず、電源部１０が、その時点で出力することができる最大電力に近い値を出力した状態で、モータ２１を駆動させることができる。
【００３１】
判断部３２７は、電源電圧算出部３２５で算出される電圧値に基づいてモータ２１の駆動を停止するか否かを判断する。本実施形態では、判断部３２７は、電源電圧算出部３２５で算出される電圧値が所定の値より小さい場合に、モータ２１の駆動を停止すると判断する。所定の値は、モータ２１の駆動に最低限必要な電圧値である。モータ２１の駆動に最低限必要な電圧値が得られない場合にモータ２１の駆動を停止することで、モータ２１を保護することができる。制御部３２は、場合によっては判断部３２７を有しなくてもよい。
＜３．制御装置の動作＞
【００３２】
図４は、本発明の実施形態に係る制御装置３０の動作の一例を示すフローチャートである。換言すると、図４は、電源部１０から供給される電力によって駆動するモータ２１の制御方法の一例を示す。
【００３３】
制御装置３０の電源がオンされると、オン信号が制御部３２に入力される。オン信号の入力により、初期値出力部３２１は、デューティ比の初期値をメモリ３２ｂから読み出して出力する（ステップＳ１）。
【００３４】
デューティ比生成部３２２は、モータ２１の目標回転数をメモリ３２ｂから取得し、回転数算出部３２３から取得した回転数と比較してデューティ比を生成する（ステップＳ２）。回転数算出部３２３が算出した回転数と目標回転数との差が所定の範囲内であれば、現在のデューティ比が生成される。
【００３５】
回転数算出部３２３が算出した回転数と目標回転数との差が所定の範囲を超えた時、デューティ比生成部３２２は、回転数算出部３２３が算出した回転数が目標回転数と異なると判断する。デューティ比生成部３２２は、回転数算出部３２３が算出した回転数が目標回転数より低い場合には、現在のデューティ比より大きなデューティ比を生成する。また、デューティ比生成部３２２は、回転数算出部３２３が算出した回転数が目標回転数より高い場合には、現在のデューティ比より小さなデューティ比を生成する。
【００３６】
デューティ比をどの程度大きくするか、或いは、小さくするかは、算出された回転数と目標回転数との差の大きさに応じて決定されるのが好ましい。デューティ比を決定するためのテーブル或いは計算式がメモリ３２ｂに記憶されるのが好ましい。なお、デューティ比生成部３２２は、回転数算出部３２３が回転数を算出する前においては、初期値出力部３２１から出力されたデューティ比と同じデューティ比を生成する。
【００３７】
デューティ比生成部３２２によって生成されたデューティ比でモータ２１が駆動されると、回転数算出部３２３は、電流検出部３３で検出された電流値を取得する（ステップＳ３）。すなわち、モータ２１の制御方法は、モータ２１に対して通電される電流の電流値を検出するステップを有する。回転数算出部３２３は、取得した電流値に基づきモータ２１の回転数を算出する（ステップＳ４）。この時点で、デューティ比計測部３２４によって、所定のデューティ比変動が検出されたか否かが確認される（ステップＳ５）。ステップＳ５で所定のデューティ比変動が検出されない場合、ステップＳ２に戻って、上述の動作が繰り返される。
【００３８】
ステップＳ５で所定のデューティ比変動が検出された場合、電源電圧算出部３２５によって電源部１０の電圧値が算出される（ステップＳ６）。すなわち、モータ２１の制御方法は、検出された電流値に基づいて電源部１０の電圧値を算出するステップを有する。なお、上述のように、本実施形態では、電源電圧算出部３２５は、検出された電流値に基づいて算出されたモータ２１の回転数を利用して電源部１０の電圧値を算出する。
【００３９】
調整部３２６は、算出された電圧値が目標電圧値であるか否かを確認する（ステップＳ７）。調整部３２６は、算出された電圧値と目標電圧値との差が所定の範囲内であれば、算出された電圧値が目標電圧値であると判断する。一方、調整部３２６は、算出された電圧値と目標電圧値との差が所定の範囲を超えた場合に、算出された電圧値が目標電圧値でないと判断する。
【００４０】
ステップＳ７で、算出された電圧値が目標電圧値であると判断されると、調整部３２６は、デューティ比を現在のデューティ比に維持する（ステップＳ８）。デューティ比が維持された状態で、ステップＳ６に戻って、それ以降の動作が繰り返される。
【００４１】
一方、ステップＳ７で、算出された電圧値が目標電圧値でないと判断されると、判断部３２７が、算出された電圧値が所定の値より小さいか否かを確認する（ステップＳ９）。ステップＳ９で、電源電圧算出部３２５で算出された電圧値が所定の値より小さい場合、モータ２１の駆動を停止する（ステップＳ１０）。モータ２１の駆動停止は、制御部３２から駆動回路部３１に指示される。
【００４２】
一方、ステップＳ９で、算出された電圧値が所定の値以上である場合、調整部３２６はデューティ比の変更を行う（ステップＳ１１）。詳細には、算出された電圧値が目標電圧値より小さい場合、調整部３２６は現在のデューティ比を下げる。算出された電圧値が目標電圧値より大きい場合、調整部３２６は現在のデューティ比を上げる。デューティ比が下がると、モータ２１の電流値及び回転数が下がり、電源部１０の電圧値は上がる。デューティ比が上がると、モータ２１の電流値及び回転数が上がり、電源部１０の電圧値は下がる。すなわち、モータ２１の制御方法は、算出された電圧値に基づいてモータ２１の回転数を調整するステップを有する。調整部３２６は、電源部１０の電圧値が目標電圧値に近づくように、デューティ比の調整を行う。デューティ比の調整後、ステップＳ６に戻って、それ以降の動作が繰り返される。
【００４３】
なお、デューティ比の調整量は、算出された電圧値と目標電圧値との差の大きさに応じて決定されるのが好ましい。デューティ比の調整量を決定するためのテーブル或いは計算式がメモリ３２ｂに記憶されるのが好ましい。テーブル或いは計算式は、実験によって集めた情報に基づいて作成すればよい。
【００４４】
本実施形態では、制御装置３０の電源がオンされて所定のデューティ比変動が検出されるまでは、モータ２１は目標回転数になるように制御される。一方、所定のデューティ比変動が検出された後は、モータ２１は、電源部１０の電圧値が目標電圧値になるように制御される。本実施形態によれば、モータ２１に対して通電される電流の電流値から電源部１０の電圧値を算出することによって、電源部１０の出力状況に合わせてモータ２１を適切な回転数で回転させることができる。また、制御装置３０を有するポンプシステム１は、効率良く水の汲み上げを行うことができる。
【００４５】
また、電源部１０の出力状況に合わせてモータ２１の回転数を適切に制御するにあたって、モータ２１に対して通電される電流の電流値が利用される。このために、電源部１０の電力を監視する監視装置から情報を得てモータ２１の駆動を制御する場合に比べて、応答性良くモータの駆動を制御することができる。
＜４．変形例＞
【００４６】
図５は、本発明の実施形態に係る制御装置３０の変形例を説明するためのブロック図である。図５に示すように、変形例の制御装置も、駆動回路部３１と、制御部３４と、電流検出部３３とを有する。駆動回路部３１及び電流検出部３３は、上述した実施形態の構成と同じである。変形例の制御装置においては、制御部３４に初期値出力部３２１を設ける代わりに、制御部３４外に、初期値設定部３５が設けられる。この点が、上述した実施形態の構成とは異なる。制御部３４が有するデューティ比生成部３２２、回転数算出部３２３、デューティ比計測部３２４、電源電圧算出部３２５、調整部３２６、及び、判断部３２７は、上述した実施形態と基本的に同じである。このために、これらの詳細な説明は、特に必要な場合を除き説明を省略する。
【００４７】
初期値設定部３５は、詳細には、外部からＰＷＭ信号のデューティ比の初期値を入力し、入力された初期値を制御部３４に出力するための装置である。すなわち、制御部３４は、外部からＰＷＭ信号のデューティ比の初期値を設定可能に設けられている。デューティ比生成部３２２は、デューティ比を前記初期値とした場合に想定される回転数と、回転数算出部３２３で算出される回転数とを比較してデューティ比を生成する。初期値出力部３２１から得られるデータの代わりに、初期値設定部３５から得られるデータが利用される点を除いて、制御部３４の動作は、上述した実施形態の制御部３２と同じである。初期値設定部３５が用いられる場合、デューティ比の初期値を外部から変更することができる。このために、例えばポンプシステム１の使用環境等に応じて初期値を適切に設定することができる。
【００４８】
初期値設定部３５は、制御部３４と有線にて通信する構成でもよいし、無線にて通信する構成でもよい。初期値設定部３５の情報の入力は、例えばボタン入力方式或いはタッチパネル入力方式等であってよい。初期値設定部３５は、デューティ比の初期値以外に目標回転数等の他の情報を入力する機能を有してもよい。初期値設定部３５は、例えば携帯端末等であってもよい。
【００４９】
以上においては、本発明の制御装置がポンプシステムに適用される構成を説明した。しかし、これは例示である。本発明の制御装置は、例えばファンを駆動するシステム等、他のシステムに適用されてもよい。
【００５０】
その他、以上に示した実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【産業上の利用可能性】
【００５１】
本発明は、例えば太陽光発電或いは風力発電等の自然エネルギーを利用した電源部によってモータを駆動するシステムに好適に利用できる。
【符号の説明】
【００５２】
１・・・ポンプシステム、１０・・・電源部、１１・・・発電部、２０・・・ポンプ部、２１・・・モータ、３０・・・制御装置、３１・・・駆動回路部、３２,３４・・・制御部、３３・・・電流検出部、３２１・・・初期値出力部、３２２・・・デューティ比生成部、３２３・・・回転数算出部、３２４・・・デューティ比計測部、３２５・・・電源電圧算出部、３２６・・・調整部
【図１】
2019134498.tif 000003
【図２】
2019134498.tif 000004
【図３】
2019134498.tif 000005
【図４】
2019134498.tif 000006
【図５】
2019134498.tif 000007